(57)【要約】【課題】商品利用後に廃材２が発生する商品１を販売するシステムにおいて、懲罰的方法ではなく、積極的に当該廃材２の投棄および放置をなくすようにする。【解決手段】商品代金に付加するデポジット金５を管理するデポジット管理サーバ３０と、商品購入時のカード４の情報を読み取って購入者３と判定したときに投入を許可し投入された廃材２の数を計数し当該数量をデポジット管理サーバ３０に通知する廃材回収機６０とを設け、当該購入者３のデポジット金５の範囲内で投入された廃材２の数量に応じたデポジット金５の返却を行うことができるようにした。【選択図】図１
2010079605.tif 000002
【特許請求の範囲】
【請求項１】
利用後に廃材が発生する商品を販売するシステムにおいて、
所定のデポジット金を付加して販売する自動販売機と、
前記デポジット金の設定および管理を行うデポジット管理サーバと、
投入された商品の廃材の数に応じてデポジット金を返却する廃材回収機と、を設けたことを特徴とするデポジット付き商品販売システム。
【請求項２】
前記自動販売機は、販売のときに個人識別情報を読み取って販売し、
前記デポジット管理サーバは、前記デポジット金を返却するときに、前記個人識別情報に基づき、デポジット金の範囲内で返金するようにしたことを特徴とする請求項１記載のデポジット付き商品販売システム。
【請求項３】
前記デポジット管理サーバは、前記自動販売機を設置した所定の地域ごとにデポジット金を設定可能に設け、
商品購入地域と、前記廃材回収機の地域が異なるときは、廃材回収機の地域を管理するデポジット管理サーバから商品購入地域のデポジット管理サーバにデポジット金の返金を委託できるようにしたことを特徴とするデポジット付き商品販売システム。
【請求項４】
所定のエリアのデポジット管理サーバ、自動販売機および廃材回収機にて一律のデポジット金を設定するようにしたことを特徴とする請求項１または請求項２記載のデポジット付き商品販売システム。
【請求項５】
前記廃材回収機のデポジット設定機能を、デポジットを付加せずに販売した商品の廃材についてもデポジット金の一部を充当した廃材回収手数料として返金できるようにしたことを特徴とする請求項４記載のデポジット付き商品販売システム。
【請求項６】
前記商品は、たばこであって、前記廃材は当該吸殻であることを特徴とする請求項１ないし請求項５いずれか記載のデポジット付き商品販売システム。
【請求項７】
投入された商品の廃材の数を計数する計数手段と、
デポジット金を返却する返却手段と、を設け
計数した商品の廃材の数に応じて、デポジット金を返却するようにしたことを特徴とする商品の廃材回収装置。
【請求項８】
前記投入された商品廃材の温度を検出する検出手段と、
消化液を噴霧する消化手段と、を設け
前記投入された商品の廃材の温度が所定の温度以上のときは消化液を噴霧するようにしたことを特徴とする請求項７記載の商品の廃材回収装置。
【請求項９】
前記商品の廃材は、所定の粗さの網状のベルトにより搬送し、粉塵は落下させようにしたことを特徴とする請求項７または請求項８記載の商品の廃材回収装置。
【請求項１０】
前記商品はたばこであって、前記廃材は当該吸殻であることを特徴とする請求項７ないし請求項９いずれか記載の商品の廃材回収装置。
【請求項１１】
商品を販売するときに付加するデポジット金の設定が可能なデポジット設定機能を設けたことを特徴とする自動販売機。 
【発明の詳細な説明】
【技術分野】
【０００１】
この発明は、利用後に廃材が発生する商品を販売するシステムにおいて、当該廃材の投棄および放置をなくす技術に関する。
【背景技術】
【０００２】
商品利用後に廃材が発生する商品を販売するシステムで、購入時に個人識別情報が記録された媒体を用いて販売するシステムとしては、図１６に示すようなたばこ販売システムがよく知られており、喫煙可能な成人であることを示す個人識別情報が記録されたタスポカードを用いて成人のみに販売するシステムとなっている。
【０００３】
すなわち、社団法人日本たばこ協会１００が管理するカード発行センタが発行するタスポカードを保有する成人喫煙者１０１のみが、自動販売機１０３によりたばこを購入することができ、この購入の際、タスポカードを提示して、たばこを購入する。
【０００４】
たばこは、現金でも購入できるが、電子マネー「ピデル」により購入することもでき、電子マネー「ピデル」で購入したときは、電子マネー管理会社１０４を介して金融機関１０５からたばこ販売店１０２に代金が支払われるようになっている。
【０００５】
また、購入の際、提示されたタスポカードが盗難等の届けのあったカードであるかどうかを社団法人日本たばこ協会１００が管理するタスポ管理センタにて常時チェックしており、このような不正利用を防止できるようになっている。
【０００６】
ところで、近年、環境問題の観点からゴミ問題がクローズアップされており、廃棄されたゴミの調査の結果、たばこの吸殻が最大の問題となっており、廃棄されたゴミのうち、世界においては約２６％が、日本においては約１３％がたばこの吸殻となっている。
【０００７】
このような背景から、たばこの吸殻などの不法投棄を防止するために、たばこのフィルタ部などにＲＦＩＤ（Ｒａｄｉｏ  Ｆｒｅｑｕｅｎｃｙ  ＩＤｅｎｔｉｆｉｃａｔｉｏｎ）などの情報記憶機構を設け、当該情報記憶機構へのデータの読み書きを可能とし、個人識別情報が記録された前述のタスポカードなどを用いて当該物品を購入する際に、販売物品に埋め込まれた情報記憶機構に購入者の個人識別情報を書き込んでおき、不法投棄があったときに、前記販売物品に埋め込んだ情報記憶機構から購入者を特定し、購入者に対して懲罰を課すという技術はあった（例えば、特許文献１参照）。
【特許文献１】特開２００５−３３２０６０号公報
【発明の開示】
【発明が解決しようとする課題】
【０００８】
しかしながら、上記従来の不法投棄に懲罰を課すシステムでは、懲罰を免れる方法、例えば販売物品に埋め込まれた情報記憶機構を壊して不法投棄したり、不法投棄が判明し難い山中や河川等に不法投棄したりすることが可能であり、不法投棄を顕著に減らすことはできなかった。
【課題を解決するための手段】
【０００９】
本発明は、前述の課題を解決するため次の構成を採用する。すなわち、利用後に廃材が発生する商品を販売するシステムにおいて、所定の預かり金（以下、「デポジット金」という）を付加して販売する自動販売機と、前記デポジット金の設定および管理を行うデポジット管理サーバと、投入された商品の廃材の数に応じたデポジット金を返却する廃材回収機とを設けた。
【発明の効果】
【００１０】
本発明のデポジット付き商品販売システムによれば、利用後に廃材が発生する商品を販売するシステムにおいて、所定のデポジット金を付加して販売する自動販売機と、前記デポジット金の設定および管理を行うデポジット管理サーバと、投入された商品の廃材の数に応じて前記デポジット金を返却する廃材回収機とを設けたので、不法投棄を積極的に減少させ、ゴミ問題を解決することができる。
【発明を実施するための最良の形態】
【００１１】
以下、本発明に係わる実施の形態例を、図面を用いて説明する。図面に共通する要素には同一の符号を付す。
【実施例１】
【００１２】
（システム構成）
図１は、実施例１のデポジット付き商品販売システムの構成を示す図である。カード管理サーバ１０は、個人識別情報（以下、「個人ＩＤ」という）が記録されたカード４の発行および運用を管理するサーバである。
【００１３】
そして、カード管理サーバ１０を構成するカード申込み受付機能１１は、たばこ購入者に必要なカード４の申込みを受け付けるものであり、カード発行機能１２は、受け付けた申込みに対して所定の審査確認の後、正当である場合にカード４を発行するものである。
【００１４】
個人識別情報管理機能１３は、カード管理サーバ１０が扱う個人ＩＤをセキュアに管理し、カード管理機能１４は、紛失や盗難などで無効となったカードと有効なカードを管理するなどの機能を有する。カードＡＰ管理機能１５は、公知のＩＣカードなどの個人ＩＤを記録するカード上に追加登録できるアプリケーション（以下、「ＡＰ」という）の申込み・許可を管理する機能であり、アプリケーションの例としては、電子マネーＡＰや購入履歴ＡＰなどがある。
【００１５】
電子マネー管理サーバ２０は、前述のように購入者３が保有するカード４上に追加登録できるＡＰの１つとして機能するサーバである。
【００１６】
そして、電子マネー管理サーバ２０を構成するカードＩＤ管理機能２１ではカード４を区別するためのＩＤを管理する。電子マネーを保有する購入者３は、販売店などの自動販売機５０で所望する商品を購入する権利を有する。電子マネー残高管理機能２２は、個々のカード４の残高を管理し、電子マネー取引管理機能２３は、個々のカード４の利用履歴を管理する。
【００１７】
デポジット管理サーバ３０は、たばこ代金に付加するデポジット金を管理するサーバである。
【００１８】
そして、デポジット管理サーバ３０を構成するデポジット設定機能３１は、販売箇所毎のデポジット金額を設定する機能であり、販売機管理機能３２は、個々の販売箇所のデポジット設定がどのように設定されているか、日々どれほどのデポジットとなっているかを管理するものである。
【００１９】
回収機管理機能３３は、吸殻回収機６０の稼働状況および計数結果及び返金状況を管理し、カードＩＤ管理機能３４は、利用されるＩＤカードを管理するものである。デポジット管理機能３５は、個々のＩＤカードごとの販売時デポジット金額と回収による返金額を管理する。
【００２０】
決済サーバ４０は、電子マネーによる販売、チャージなどに対して電子マネー管理サーバ２０の指示による指定の振込み等を決済機能４１により実施するものである。
【００２１】
自動販売機５０は、たばこ１を販売する場であり、販売にあたり購入者３が提示するカード４を読み書きするカードＲＷ機能５１及びカード４を読み取った結果から購入可否を判定する成人識別機能５２を有する。
【００２２】
さらに、商品ハンドリング機能５３は、商品であるたばこの格納や販売時に指定数量を排出する。現金ハンドリング機能５４は、購入者３が商品購入または電子マネチャージのために投入する現金の収納及び商品販売後の余剰金の排出を行う。
【００２３】
電子マネー決済機能５５は、販売やチャージに伴なうカード４への電子マネー残高の書換え及び電子マネー管理サーバ２０への取引情報通知を行う。デポジット設定機能５６は、デポジット管理サーバ３０が設定したデポジット金額を販売価格に反映し販売時のデポジット金額を購入者ＩＤと共にデポジット管理サーバ３０に通知する機能を有する。
【００２４】
吸殻回収機６０は、購入者３が持参した吸殻２を取り込み、計数し、計数結果に応じたデポジット５を返金する機能を有する。返金にあたり購入者３が提示するカード４を読み書きするカードＲＷ機能６１と購入者３が投入した吸殻を吸殻計数機能６２で計数する。
【００２５】
現金ハンドリング機能６３は、現金でデポジットを返金する場合に計数結果に応じた現金を排出する。電子マネー加算機能６４は、デポジットの返金を電子マネーで返金する場合に媒体の電子マネー残高の書換え及び電子マネー管理サーバ２０への取引情報通知を行う。デポジット設定機能６５は、デポジット管理サーバ３０が設定した返金額を計数結果に応じた返金総額計算に適用するとともに、返金金額を購入者ＩＤと共に管理サーバ３０に通知する機能を有する。
【００２６】
以上のカード管理サーバ１０、電子マネー管理サーバ２０、デポジット管理サーバ３０、決済サーバ４０、自動販売機５０、吸殻回収機６０が各種ネットワーク７０を介し互いに接続された構成となっている。
【００２７】
（自動販売機の構成）
自動販売機の構成は、図１の自動販売機５０の機能構成として述べたように、デポジット設定機能５６を設け、デポジット管理サーバ３０からの通知によりデポジット価格を設定し、購入者３が商品を購入する際のデポジット情報を電子マネー運用サーバ２０およびデポジット管理サーバ３０に通知するようにしており、そのほかは従来の自動販売機の構成とほぼ同様であるので、簡略化のためにその詳細な説明を省略する。
【００２８】
（吸殻回収機の構成）
図２は、前述の実施例１の吸殻回収機の構成を示した図である。顧客操作表示部７１は、購入者３がカード４を持参して吸殻回収機７０を利用する際、購入者３の選択操作、結果の表示などを行うものであり、操作ボタン付き表示部やタッチパネルつき表示部などで構成される。
【００２９】
現金ハンドリング部７２は、前述の現金ハンドリング機能６３に対応するもので、シャッタを備え、紙幣や硬貨を収納し制御部８４から指示された金額を出金口に排出しシャッタをあけて返金できる構成となっている。
【００３０】
カードＲＷ部７３は、前述（図１）のカードＲＷ機能６１に対応するもので、カード４に記録された情報の読み書きを行うものである。このカードＲＷ部７３は、電子マネー制御部８３を介し、ネットワーク７０に接続された制御部８４に接続されている。電子マネー制御部８３は、カード４と電子マネー運用サーバ２０の電子マネー取引管理機能２３との授受を制御する。
【００３１】
吸殻投入口シャッタ７４は、回収する吸殻の投入口をふさぐシャッタである。なお、投入口には図示していないが吸殻以上のサイズの異物を取り込まないように所定の粗さのフィルタを設けるのがよい。
【００３２】
灰分離搬送路７５は、吸殻２を吸殻分離部７９へ搬送するもので、吸殻以下のサイズの灰などを搬送中に落下させるために網状のベルトで構成し、当該ベルトを駆動する搬送路となっている。灰分離搬送路７５の下には貯水灰受け部８２が設けられており、灰などの吸殻以下の小さな投入物が蓄積される。なお、貯水灰受け部８２は、吸殻の燃え残りに備えて貯水されている。
【００３３】
消火検知センサ７６は、感熱センサであり、投入された吸殻２が消火されているかどうかを検知するものである。消火ノズル７７は、制御部８４の指示により消化剤を搬送中の吸殻２に噴霧する。吸殻分離部７９は底部を網状のフィルタを設けた容器であり、灰分離搬送路７５により搬送された吸殻２を受ける。この容器に所定の振動を与えることにより吸殻２が網状のフィルタから下にある吸殻搬送路８０に落ちる。
【００３４】
撮影カメラ７８は吸殻搬送路８０上の吸殻２を撮影するカメラである。この撮影カメラ７８により撮影された画像を用いて画像処理および画像認識を行い吸殻２の数を計数が行われる。そして、吸殻２は吸殻蓄積部８１に運ばれる。なお、吸殻２の計数方法としては、１個ずつ搬送できるようにガイドを設け、当該ガイドによりガイドされた吸殻を透過センサや反射型センサにより検知して計数するようにしても勿論よい。
【００３５】
（システム動作）
以上の構成により、実施例１のたばこデポジット付き商品販売システムは以下のように動作する。この動作を図１のシステム構成図及び図３の販売手順のフローチャートを用いて説明する。
【００３６】
まず、購入者３は、たばこ購入に際し事前にカード管理サーバ１０に対して、カード４の発行を依頼する必要があり、カード申込みにより依頼する（ステップＳ０１）。カード管理サーバ１０は、カード申込者を所定の審査を行いカード発行可能と判断した場合にカード発行を行う（ステップＳ０２）。
【００３７】
デポジット管理サーバ３０は、デポジット販売を管轄し、デポジットを適用する地域についてデポジット価格を設定し当該地域の販売店等の自動販売機５０に通知する（ステップＳ０３）。
【００３８】
例えば、たばこ１本あたり１０円のデポジットを設定する場合では、１箱２０本入りのときは１箱２００円がデポジットなり、販売店等に置かれた自動販売機５０はデポジット管理サーバ３０からの前記通知により、通常売価にデポジット価格として１箱２００円の上乗せをし、通常価格が１箱３００円の場合では、５００円にて販売を行う。
【００３９】
そして、購入者３は、入手したカード４を販売店等の自動販売機５０に取り付けられたカードＲＷ機能５１にカード４を提示すると（ステップＳ０４）、カード４の判定を行い、有効なカードでありカード４内の電子マネー残高を確認し販売可能と判断した場合（ステップＳ０５）、選択可能商品を購入可能として表示する（ステップＳ０６）。
【００４０】
電子マネー残高が足りない場合は現金購入による販売となり商品選択・料金投入に進む（ステップＳ０７）。なお、購入不可能な場合は、次ぎの処理に進まないようにし、購入できないようにする。
【００４１】
購入者３が所望の商品を選択すると、自動販売機５０は商品ハンドリング機能５３により、当該商品を排出し（ステップＳ１０）、現金ハンドリング機能５４または電子マネー決済機能５５により商品購入代金として、本例では、通常代金３００円とデポジット金の２００円の合計５００円を投入金額から差し引いた残金を返却する。
【００４２】
このとき、当該購入履歴情報が、カード管理サーバ１０および電子マネー管理サーバ２０に通知されるとともに、預かったデポジット情報がデポジット管理サーバ３０に情報通知され（ステップＳ０８）、カード４から判明するユニークな個人ＩＤに関連付けて購入場所と数量すなわちデポジット金額がデポジット管理サーバ３０にて記録される（ステップＳ０９）。
【００４３】
そして、購入者３が、たばこ１を消費し吸殻２が発生したときは、携帯する灰皿等を利用して保管し、吸殻２を返却してデポジット金の返却を受けたいときは、吸殻回収機６０の設置場所において、まず、カード４を吸殻回収機６０のカードＲＷ機能６１にカード４を提示し、カード４から判明するユニークな個人ＩＤが読み取られる（ステップＳ１１）。
【００４４】
次に、購入者３は、保管しておいた吸殻２を吸殻回収機６０に投入する（ステップＳ１１ｓ）。すると、吸殻回収機６０の吸殻計数機能６２により投入された吸殻の数量を計数し（ステップＳ１２）、デポジット管理サーバ３０に対してカード４から判明するユニークな個人ＩＤと吸殻計数機能６２において投入された吸殻の数量の計数結果を通知する（ステップＳ１３）。
【００４５】
デポジット管理サーバ３０ではデポジット管理機能３５から通知された個人ＩＤについて現在預かっているデポジット金に対して、通知された計数結果がオーバーしていないかを確認し、預かっているデポジット金の範囲内での返金額を吸殻回収機６０に通知する（ステップＳ１４）。
【００４６】
吸殻回収機６０のデポジット設定機能６５は、購入者３に対して計数結果および返金額を表示し購入者３の選択する返金方法により、現金ハンドリング機能６３または電子マネー加算機能６４を用いてデポジット返金を行い（ステップＳ１６）、その結果をデポジット管理サーバ３０に通知し、電子マネー取引の場合は加算金を電子マネー管理サーバ２０にも通知する。
【００４７】
（自動販売機の動作）
次に、図４の動作フローチャートを用いて、実施例１の自動販売機の動作の一例を詳細に説明する。まず、購入者３が、入手したカード４を販売店等の自動販売機５０に取り付けられたカードＲＷ機能５１にカード４を提示すると、カード４に記録された情報を読み取り（ステップＳ５１）、読み取った情報からカード４が有効かどうかを判定し（ステップＳ５２）、有効でないときは、取引を終了する。
【００４８】
一方、カード４が有効であると判定した場合は、商品選択ボタンを有効として表示する（ステップＳ５３）。そして、購入者３が商品を選択すると（ステップＳ５４）、当該商品の金額を表示し（ステップＳ５５）、現金による支払か電子マネーによる支払かの支払方法の選択表示を行う（ステップＳ５６）。
【００４９】
そして、現金による取引を購入者３が選択した場合は（ステップＳ５７）、現金の投入を待ち、現金が投入されると（ステップＳ５８）、現金決済を行う（ステップＳ５９）。
【００５０】
一方、電子マネーによる取引を購入者３が選択した場合は、カード残高があるかどうかを判定し（ステップＳ６０）、残高が不足している場合は、残高不足の旨を表示し（ステップＳ６１）、ステップＳ５７の電子マナー選択ステップに戻り、現金購入を可能とする。
【００５１】
残高がある場合は、電子マネー決済を行い（ステップＳ６２）、デポジット情報を電子マネー運用サーバ２０およびデポジット管理サーバ３０に通知する（ステップＳ６３）。
【００５２】
そして、購入者３が選択した商品を排出し（ステップＳ６４）、販売された商品名およびデポジット販売による販売である旨の履歴を記録する（ステップＳ６５）。
【００５３】
（吸殻回収機の動作）
次に、実施例１の吸殻回収機の動作について、図２の吸殻回収機の構成図および図５の動作フローチャートを用いて、さらに詳細に説明する。まず、購入者がカード４を持参して吸殻回収機６０を利用するときに、ステップとして表示していないが、顧客操作表示部７１から吸殻回収を選択すると、制御部８４は、カードＲＷ部３３を起動し、カード４をカードＲＷ部７３に提示するように顧客操作表示部７１に案内を表示する。
【００５４】
すると、購入者はカード４をカードＲＷ部７３に提示し（ステップＳ７１）、購入履歴からデポジット対象の有無や電子マネーの残高などを読み取る（ステップＳ７２）。読み取りを完了すると、制御部８４は吸殻投入口シャッタ７４のロックを解除して、吸殻２の投入を可能とする（ステップＳ７３）。
【００５５】
次に、購入者３が持参した吸殻２を投入口に投入すると（ステップＳ７４）、吸殻投入口シャッタ７４を閉め（ステップＳ７５）、投入口には吸殻以上のサイズの異物を取り込まないような網状のフィルタを設けてあるので吸殻でない大きな異物は網状のフィルタの上に残留し吸殻以下のサイズの投入物が灰分離搬送路７５に落下する。灰分離搬送路７５は吸殻以下のサイズの灰などを落下させる網状の搬送ベルトとしているので、吸殻以下の灰などは網状の搬送ベルトを通過し貯水灰受け部８２に落下して蓄積される（ステップＳ７６）。
【００５６】
落下したものに燃え残りがあれば、貯水灰受け部８２に貯水された水で消火される。一方、吸殻２は灰分離搬送路７５により吸殻分離部７９に搬送される。吸殻分離部７９では、吸殻２の燃え残りの有無を消火検知センサ７６で検知しており、閾値以上の熱を検知した場合には（ステップＳ７７）、燃え残り有りと判断し制御部８４の指示により消火ノズル７７から消化剤を、搬送中の吸殻２に噴霧し（ステップＳ７８）、消火検知センサ７６のアラームがなくなることを確認する。
【００５７】
吸殻分離部７９は、底部に吸殻２を落下させる程度の粗さの網状のフィルタを設けた容器となっており、灰分離搬送路７５により搬送された吸殻２を受ける。そして、容器を振動させることにより吸殻２が網状のフィルタを１つずつ通過し落下する。これにより吸殻２が重なることなく下にある吸殻搬送路８０に落ちる（ステップＳ７９）。
【００５８】
撮影カメラ７８は吸殻搬送路８０上の吸殻２を撮影するカメラである。撮像したイメージは、制御部８４に送られ、一般的な画像認識技術も用いて吸殻２の計数を行う（ステップＳ８０）。そして、計数結果をデポジット管理サーバ３０に通知するとデポジット管理サーバ３０により返金額が確定され、吸殻回収機６０に返金額の通知があるので（ステップＳ８１）、顧客操作表示部７１に回収数量と返金額を表示する（ステップＳ８２）。
【００５９】
次に、返金方法の選択画面が表示され、現金選択またはカード４の電子マネー返金が選択できる。現金が選択された場合は、現金ハンドリング部７２により計数された現金が排出される。一方、電子マネーが選択された場合は、電子マネー制御部８３により、購入者のカードに返金分の電子マネーがチャージされる（ステップＳ８３・Ｓ８４）。
【００６０】
なお、デポジットに対応する吸殻２は吸殻回収機６０内部では最終的に吸殻蓄積部８１に蓄積され、一杯になると業者がこれを回収して消却等するが、この蓄積された吸殻２を、再度、投入されてデポジット金の返金を受ける不正行為を防止するため、吸殻蓄積部８１に蓄積された吸殻２に赤インクや不可視インクなどを噴霧し、当該インクが付着した吸殻２は、撮影カメラ７８等による計数の際、カウントしないようにするとなおよい。
【００６１】
以上のように、実施例１の吸殻回収機６０では、網状の搬送ベルトを用いて灰分離しながら吸殻２を搬送し、かつ消火検知センサ７６により燃え残りを検知した場合には消火ノズル７７から消火液が噴霧されるため、吸殻回収機６０の焼損事故を未然に防ぐことができる。また、吸殻分離部７９を振動させ網状フィルタから吸殻２を排出させるようにすることで、吸殻搬送路８０上での吸殻２の重なりを防止し、撮影カメラ７８により正確に計数することが可能となり、安全でかつ正確な吸殻の計数を行うことができる。
【００６２】
（実施例１の効果）
以上のように実施例１のデポジット付き商品販売システムでは、たばこを販売するときに所定のデポジット金を付加して販売する自動販売機と、当該デポジット金を管理するデポジット管理サーバと、たばこ購入時の購入履歴に基づき購入者と判定したときに吸殻投入を許可し投入された吸殻の数を計数し当該数量をデポジット管理サーバに通知する吸殻回収機とを設け、当該購入者のデポジット金の範囲内で投入された数量に応じたデポジット金の返却を行うことができるようにしたので、不法投棄を減少させてゴミ問題を積極的に解決することができ、さらに、不正な吸殻の回収をも防止することができる。
【実施例２】
【００６３】
（システム構成）
実施例２のたばこデポジット付き商品販売システムは、図６に示したように、デポジット管理サーバ３０が実施例１では１つであったのに対して、実施例２の構成では、商品を販売する地域ごとにデポジット管理サーバ３０が設けられた構成となっている。なお、デポジット管理サーバ３０は１つとし、地域ごとにデポジットの管理ができるようにデポジット設定機能３１やデポジット管理機能３５等の各機能を地域別に設ける構成としても勿論よい。
【００６４】
このようにデポジット管理サーバ３０を地域ごとに設ける構成とすることにより、地区ごとに異なるデポジット金額を設定することができるようになる。その他の構成は、実施例１のたばこデポジット付き商品販売システムの構成と同様であり、自動販売機５０、吸殻回収機６０の構成も実施例１にて説明した構成と同様であるので、簡略化のためにその詳細な説明は省略する。
【００６５】
以下の説明では、図６に示したように、地域Ａに、デポジット管理サーバＡ（３０ａ）、自動販売機Ａ（５０ａ）、吸殻回収機Ａ（６０ａ）が配置され、地域Ｂに、デポジット管理サーバＢ（３０ｂ）、自動販売機Ｂ（５０ｂ）、吸殻回収機Ｂ（６０ｂ）に配置されたシステムにおいて、地域Ａでたばこを購入し、地域Ｂで吸殻を回収する例として説明する。
【００６６】
（システム動作）
以上の構成により、実施例２のたばこデポジット付き商品販売システムは以下のように動作する。この動作を図６のたばこデポジット付き商品販売システム構成図および図７のたばこデポジット付き商品販売システムの動作フローチャートを用いて以下詳細に説明する。なお、自動販売機５０、吸殻回収機６０の動作は、実施例１の動作と同様であるので、簡略化のためにその詳細な説明は省略する。
【００６７】
まず、購入者３は、たばこ購入に際し事前にカード管理サーバ１０に対して、カード４の発行を依頼する必要があり、カード申込みにより依頼する（ステップＳ０１）。カード管理サーバ１０は、カード申込者を所定の審査を行いカード発行可能と判断した場合にカード発行を行う（ステップＳ０２）。
【００６８】
各地域でデポジット設定が異なる場合、デポジット管理サーバＡ（３０ａ）、デポジット管理サーバＢ（３０ｂ）はそれぞれの地域に存在し、デポジット販売をそれぞれ管理する。例えば、地域Ａにあるデポジット管理サーバＡ（３０ａ）は地域Ａのデポジット価格を設定し地域Ａの販売店等の自動販売機Ａ（５０ａ）に通知する（ステップＳ０３ａ）。
【００６９】
そして、たばこ１本あたり１０円のデポジットを設定する場合では、１箱２０本入りのときは１箱２００円がデポジットなり、地域Ａの販売店に置かれた自動販売機Ａ（５０ａ）はデポジット管理サーバＡ（３０ａ）からの前記ステップＳ０３ａの通知により、自動販売機Ａ（５０ａ）での通常売価にデポジット価格として１箱２００円の上乗せをし、通常価格が１箱３００円の場合では、５００円にて販売を行う。
【００７０】
一方、デポジット管理サーバＢ（３０ｂ）が管理する地域では、別のデポジット価格を設定し地域Ｂの自動販売機Ｂ（５０ｂ）に通知する。例えば、たばこ１本あたり２０円のデポジットを設定する場合では、１箱２０本入りのときは１箱４００円がデポジットなり、地域Ｂの販売店に置かれた自動販売機Ｂ（５０ｂ）は、簡略化のために図７にはそのステップを示していないが、デポジット管理サーバＢ（３０ｂ）からの通知により自動販売機Ｂ（５０ｂ）での通常売価にデポジット価格として１箱４００円の上乗せをし、通常価格が１箱３００円の場合では、７００円にて販売を行う。
【００７１】
そして、購入者３は、デポジット管理サーバＡ（３０ａ）が管理する地域Ａにて、入手したカード４を地区Ａの販売店等の自動販売機Ａ（５０ａ）に取り付けられたカードＲＷ機能５１にカード４を提示すると（ステップＳ０４）、カード４の判定を行い有効なカードでありカード４内の電子マネー残高を確認し販売可能と判断した場合（ステップＳ０５）、選択可能商品を購入可能として表示する（ステップＳ０６）。電子マネー残高が足りない場合は現金購入による販売となり商品選択・料金投入に進む（ステップＳ０７）。なお、購入不可能な場合は、次ぎの処理に進まないようにし、購入できないようにする。
【００７２】
購入者３が所望の商品を選択すると、自動販売機５０は商品ハンドリング機能５３により、当該商品を排出し（ステップＳ１０）、現金ハンドリング機能５４または電子マネー決済機能５５により商品購入代金として、本例では、通常代金３００円とデポジット金の２００円の合計５００円を投入金額から差し引いた残金を返却する。
【００７３】
このとき、購入履歴情報がカード管理サーバ１０、電子マネー管理サーバ２０に通知されるとともに、預かったデポジット情報がデポジット管理サーバＡ（３０ａ）に情報通知され（ステップＳ０８）、カード４から判明するユニークな個人ＩＤに関連付けて購入場所と数量すなわちデポジット金額がデポジット管理サーバＡ（３０ａ）にて記録される（ステップＳ９）。
【００７４】
購入者３が、たばこ１を消費し吸殻２が発生したときは、携帯する灰皿等を利用して保管する。そして、購入者３が、地域Ｂにおいて、吸殻２を返却してデポジット金の返却を受けたいときは、デポジット管理サーバＢ（３０ｂ）が管理する吸殻回収機Ｂ（６０ｂ）の設置場所において、カード４を吸殻回収機Ｂ（６０ｂ）のカードＲＷ機能６１ｂにカード４を提示すると、カード４から判明するユニークな個人ＩＤが読み取られる（ステップＳ１１）。
【００７５】
そして、購入者３は、吸殻２を吸殻回収機Ｂ（６０ｂ）に投入する（ステップＳ１１ｓ）。吸殻回収機Ｂ（６０ｂ）の吸殻計数機能６２により投入された吸殻の数量を計数し（ステップＳ１２）、デポジット管理サーバＢ（３０ｂ）に対してカード４から判明するユニークな個人ＩＤと吸殻計数機能６２において投入された吸殻の数量の計数結果を通知する（ステップＳ１３）。
【００７６】
デポジット管理サーバＢ（３０ｂ）では、通知された購入履歴などの情報から、購入時のデポジット管理サーバがデポジット管理サーバＡ（３０ａ）であることを認識し、デポジット管理サーバＡ（３０ａ）に対して計数結果に応じたデポジット金の移管の要請を行う（ステップＳ１７）。
【００７７】
デポジット管理サーバＡ（３０ａ）は、デポジット管理機能３５ａにより、通知された個人ＩＤの現在預かっているデポジット金に対して、通知された計数結果がオーバーしていないかを確認し、デポジット管理サーバＢ（３０ｂ）に対し、預かっている範囲内での返金額および回収代行手数料の情報とともに移管を完了した旨を通知する（ステップＳ１８）。
【００７８】
デポジット管理サーバＢ（３０ｂ）は、移管された金額から手数料を除いたデポジット金について吸殻回収機Ｂ（６０ｂ）に返金額を通知する（ステップ１４）。
【００７９】
吸殻回収機Ｂ（６０ｂ）は、デポジット設定機能６５ｂにより、購入者３に対して計数結果・返金額を表示し購入者３の選択する返金方法により現金ハンドリング機能６３ｂまたは電子マネー加算機能６４ｂを用いてデポジット返金を行い（ステップＳ１６）、その結果をデポジット管理サーバＡ（３０ａ）に通知し、電子マネー取引の場合は電子マネー管理サーバ２０にも加算金を通知して、本処理を終了する。
【００８０】
図８は、実施例２のたばこデポジット付き商品販売システムにおいて、たばこを購入した場所と吸殻を回収する場所を管轄するデポジット管理サーバが異なる場合の税も考慮したデポジット金５の流れを示す図である。同図の例では、地域Ａにて、Ｘさんが、デポジット金が付加された代金でたばこを購入し、地域Ｂにてたばこを吸い、吸い終わった吸殻を地域Ｂにて回収する場合のデポジット金の流れを示している。
【００８１】
この場合、地域Ａにて、Ｘさんに購入されたたばこの費用内訳は、たばこ製造業者に支払われる商品代金５ｃのほかに国税他５ｂと地方税５ａ、デポジット金５と手数料５ｄで構成される。手数料５ｄは、吸殻回収手数料に相当する。
【００８２】
地域Ａはデポジット管理サーバＡ（３０ａ）の管理地域であり、地域Ｂはデポジット管理サーバＢ（３０ｂ）の管理地域であり、Ｘさんが地域Ｂで吸殻を回収したとき、地域Ｂのデポジット管理サーバＢ（３０ｂ）はデポジット管理サーバＡ（３０ａ）にデポジット金移管要請（図７のステップＳ１７）を行った結果、デポジット金５と手数料５ｄがデポジット管理サーバＡ（３０ａ）に移管され、このうちデポジット金５がＸさんに返金される。
【００８３】
その結果、図９に示すように、地域Ａではたばこ購入により地方税５ａ、国税他５ｂが留保され、地域Ｂにおいては、吸殻の回収を代行することにより地域Ａから吸殻回収手数料に相当する手数料５ｄを受領することになる。なお、以上の例とは異なり、地域Ａで購入し、地域Ａにて吸殻を回収する場合は、地方税５ａ、国税他５ｂに加え、手数料５ｄも地域Ａに留保されることになる。
【００８４】
（実施例２の効果）
以上のように実施例２のたばこデポジット付き商品販売システムによれば、商品を販売する地域ごとにデポジット管理サーバを設け、販売地域と異なる地域の吸殻回収機にて吸殻を回収したときは販売した地域のデポジット管理サーバへデポジットの返金の代行を要請できるようにしたので、地域ごとに異なるデポジットを設定することができるとともに、購入者が所望する地域にて吸殻を回収しデポジットの返金を受けることができ、さらに不法投棄を減少させてゴミ問題を積極的に解決することができ、不正な吸殻の回収をも防止することができる。
【００８５】
また、前記返金代行の要請のときに、デポジット金に吸殻回収手数料を付加して代行を要請できるようにしたので、吸殻回収機を設置する者に対し吸殻の回収量に応じた吸殻回収手数料を支払うこともできる。
【実施例３】
【００８６】
（システム構成）
実施例３のたばこデポジット付き商品販売システムの構成は、図１の実施例１とほぼ同様の構成となっているが、図１０に示したように、実施例３のたばこデポジット付き商品販売システムでは、全国一斉に一律のデポジット金を設定する構成となっている。
【００８７】
このため、実施例１ではデポジット管理サーバ３０のデポジット設定機能３１は販売箇所毎のデポジット金額を設定し管理する機能があったが、実施例３のたばこデポジット付き商品販売システムでは全国一斉に一律のデポジット金を設定するため、販売箇所毎に管理する機能は不要であり当該機能を有しないデポジット設定機能３１ｘとなっている。
【００８８】
また、自動販売機５０において、実施例１では、デポジット設定機能５６が、デポジット管理サーバ３０が設定したデポジット金額を販売価格に反映し販売時のデポジット金額を購入者ＩＤとともにデポジット管理サーバ３０に通知する機能を有するものであったのに対して、実施例３では、購入者ＩＤについては通知する必要がなくデポジット金額のみをデポジット管理サーバ３０ｘに通知する機能があればよく、購入者ＩＤは通知しないデポジット設定機能５６ｘとなっている。
【００８９】
同様に、吸殻回収機６０ｘのデポジット設定機能６５についても、返金金額を管理サーバ３０ｘに通知する機能を有するが、購入者ＩＤについては通知することを要しないので、当該機能を持たないデポジット設定機能６５ｘとなっている。その他の構成は、実施例１の構成と同様であるので、簡略化のためにその詳細な説明は省略する。
【００９０】
（システム動作）
以上の構成により、実施例３の動作について、図１０のたばこデポジット付き商品販売システムの構成図及び図１１のたばこデポジット付き商品販売システムにおける販売手順の説明図を用いて説明する。
【００９１】
まず、購入者３は、たばこ購入に際し事前にカード管理サーバ１０に対して、カード４の発行を依頼する必要があり、カード申込みにより依頼する（ステップＳ０１）。カード管理サーバ１０は、カード申込者を所定の審査を行いカード発行可能と判断した場合にカード発行を行う（ステップＳ０２）。
【００９２】
デポジット管理サーバ３０ｘは、デポジット金の授受を管理する。全国一斉かつ一律のデポジット制度を適用する場合、制定されたデポジット価格を設定し当該地域の販売店等の自動販売機５０に通知する（ステップＳ０３）。
【００９３】
例えば、たばこ１本あたり１０円のデポジットを全国一斉かつ一律に設定する場合では、１箱２０本入りのときは１箱２００円がデポジットなり、販売店に置かれた自動販売機５０ｘはデポジット管理サーバ３０ｘからの前記通知により、自動販売機５０ｘでの通常売価にデポジット価格として１箱２００円の上乗せをし、通常価格が１箱３００円の場合では、５００円にて販売を行う。
【００９４】
海外等の国外で購入するたばこであっても、国内持ち込み時に免税となるがデポジット金を購入時に一括して徴収するようにすれば、国内一律のデポジット制度を維持できる。
【００９５】
そして、購入者３は、入手したカード４を販売店等の自動販売機５０ｘに取り付けられたカードＲＷ機能５１にカード４を提示すると（ステップＳ０４）、カード４の判定を行い有効なカードであり、カード４内の電子マネー残高を確認し販売可能と判断した場合（ステップＳ０５）、選択可能商品を購入可能として表示する（ステップＳ０６）。電子マネー残高が足りない場合は現金購入による販売となり商品選択・料金投入に進む（ステップＳ０７）。なお、購入不可能な場合は、次ぎの処理に進まないようにし、購入できないようにする。
【００９６】
購入者３が所望の商品を選択すると、自動販売機５０ｘは商品ハンドリング機能５３により、当該商品を排出し（ステップＳ１０）、現金ハンドリング機能５４または電子マネー決済機能５５により商品購入代金として、本例では、通常代金３００円とデポジット金の２００円の合計５００円を投入金額から差し引いた残金を返却する。
【００９７】
このとき、購入履歴情報がカード管理サーバ１０、電子マネー管理サーバ２０に通知されるとともに、預かったデポジット情報がデポジット管理サーバ３０ｘに情報通知され（ステップＳ０８）、デポジット管理サーバ３０ｘはデポジット金額を記録する（ステップＳ２９）。なお、実施例３のシステムでは、デポジット情報にカード４から判明するユニークな個人ＩＤは必要としない。
【００９８】
購入者３が、たばこ１を消費し吸殻２が発生したときは、携帯する灰皿等を利用して保管する。そして、購入者３が、吸殻２を返却してデポジット金の返却を受けたいときは、吸殻回収機６０ｘの設置場所において、まず、カード４を吸殻回収機６０ｘのカードＲＷ機能６１にカード４を提示する（ステップＳ３１）。このときも、カード４から判明するユニークな個人ＩＤを読み取る処理は必要ない。
【００９９】
次に、購入者３は、吸殻２を吸殻回収機６０ｘに投入する（ステップＳ１１ｓ）。吸殻回収機６０ｘの吸殻計数機能６２により投入された吸殻の数量を計数し（ステップＳ１２）、デポジット管理サーバ３０ｘに対してカード４から判明するユニークな個人ＩＤと吸殻計数機能６２において投入された吸殻の数量の計数結果を通知する（ステップＳ３３）。
【０１００】
デポジット管理サーバ３０ｘではデポジット管理機能３５から現在預かっているデポジット金に対して、通知された計数結果がオーバーしていないかを確認し、預かっているデポジット金の範囲内での返金額を吸殻回収機６０ｘに通知する（ステップＳ１４）。
【０１０１】
吸殻回収機６０ｘのデポジット設定機能６５は、購入者３に対して計数結果および返金額を表示し購入者３の選択する返金方法により、現金ハンドリング機能６３または電子マネー加算機能６４を用いてデポジット返金を行い（ステップＳ１６）、その結果をデポジット管理サーバ３０ｘに通知し、電子マネー取引の場合は加算金を電子マネー管理サーバ２０にも通知する。
【０１０２】
以上のように、実施例３のシステムの吸殻回収機６０ｘでは、購入履歴に関係なく吸殻を回収して当該数量に応じた返金ができるので、投棄された吸殻を収集している地域ボランティア等の者が清掃活動して収集した吸殻を回収し、デポジット金を受領できる仕組みも構築できる。
【０１０３】
図１２は、実施例３のシステムにおいて、購入者３と吸殻回収者が異なる場合の税も考慮したデポジット金の流れを示す図である。例えば、Ｘさんが購入したたばこの費用内訳は、メーカに支払われる商品代金５ｃのほかに国税他５ｂと地方税５ａ、デポジット金５で構成される。購入者Ｘさんと異なるＹさんは、ポイ捨てされた吸殻を回収し吸殻回収機６０ｘに返却すると、返却された吸殻の数に応じたデポジット金５がデポジット管理サーバ３０ｘから吸殻回収機６０ｘに移管され、当該デポジット金５がＹさんに返金されることになる。
【０１０４】
（実施例３の効果）
以上のように実施例３のたばこデポジット付き商品販売システムによれば、デポジット管理サーバのデポジット設定機能、自動販売機のデポジット設定機能および吸殻回収機のデポジット設定機能を、購入者ＩＤを管理しない構成としたので、全国一斉に一律のデポジット金設定することができ、たばこ消費者が投棄した吸殻を第三者が清掃収集した場合にも返金でき、さらに不法投棄を減少させてゴミ問題を積極的に解決することができ、不正な吸殻の回収をも防止することができる。
【実施例４】
【０１０５】
（システム構成）
実施例４のたばこデポジット付き商品販売システムの構成は、図１３に示したように、図１０の実施例３の構成とほぼ同様であり、全国一斉に一律のデポジット金を設定できる構成となっており、デポジット管理サーバ３０ｘ、自動販売機５０ｘ、吸殻回収機６０ｙは一律のデポジットを設定するため、顧客ＩＤごとの管理は不要となる。さらに、実施例４の吸殻回収機６０ｙでは、デポジット対象外の吸殻についても回収可能とし所定の手数料を支払える構成となっている。
【０１０６】
（システム動作）
以上の構成により、実施例４のたばこデポジット付き商品販売システムの動作について図１３の構成図及び図１４の販売手順の説明図を用いて以下詳細に説明する。
【０１０７】
まず、購入者３は、たばこ購入に際し事前にカード管理サーバ１０に対して、カード４の発行を依頼する必要があり、カード申込みにより依頼する（ステップＳ０１）。カード管理サーバ１０は、カード申込者を所定の審査を行いカード発行可能と判断した場合にカード発行を行う（ステップＳ０２）。
【０１０８】
デポジット管理サーバ３０ｘは、デポジット金の授受を管理する。全国一斉かつ一律のデポジット制度を適用する場合では、制定されたデポジット価格を設定し当該地域の販売店等の自動販売機５０に通知する（ステップＳ０３）。
【０１０９】
例えば、たばこ１本あたり１０円のデポジットを全国一斉かつ一律に設定する場合では、１箱２０本入りのときは１箱２００円がデポジットなり、販売店に置かれた自動販売機５０ｘはデポジット管理サーバ３０ｘからの前記通知により、自動販売機５０ｘでの通常売価にデポジット価格として１箱２００円の上乗せをし、通常価格が１箱３００円の場合では、５００円にて販売を行う。
【０１１０】
海外等、国外で購入したたばこであっても、国内持ち込み時に免税となるがデポジット金を購入時に一括して徴収するようにすれば、国内一律のデポジット制度を維持できることは実施例３と同様である。
【０１１１】
そして、購入者３は、入手したカード４を販売店等の自動販売機５０ｘに取り付けられたカードＲＷ機能５１にカード４を提示すると（ステップＳ０４）、カード４の判定を行い有効なカードでありカード４内の電子マネー残高を確認し販売可能と判断した場合（ステップＳ０５）、選択可能商品を購入可能として表示する（ステップＳ０６）。
【０１１２】
そして、電子マネー残高が足りない場合は、現金購入による販売となり商品選択・料金投入に進む（ステップＳ０７）。なお、購入不可能な場合は、次ぎの処理に進まないようにし、購入できないようにする。
【０１１３】
購入者３が所望の商品を選択すると、自動販売機５０ｘは商品ハンドリング機能５３により、当該商品を排出し（ステップＳ１０）、現金ハンドリング機能５４または電子マネー決済機能５５により商品購入代金として、本例では、通常代金３００円とデポジット金の２００円の合計５００円を投入金額から差し引いた残金を返却する。
【０１１４】
このとき、購入履歴情報がカード管理サーバ１０、電子マネー管理サーバ２０に通知されるとともに、預かったデポジット情報がデポジット管理サーバ３０ｘに情報通知され（ステップＳ０８）、デポジット管理サーバ３０ｘはデポジット金額を記録する（ステップＳ２９）。デポジット情報にカード４から判明するユニークな個人ＩＤは必要とはしない。
【０１１５】
購入者３が、たばこ１を消費し吸殻２が発生したときは、携帯する灰皿等を利用して保管する。そして、購入者３は、吸殻２を返却してデポジット金の返却を受けるとき、吸殻回収機６０ｙの設置場所において、まず、カード４を吸殻回収機６０ｙのカードＲＷ機能６１にカード提示すると、カード４に記録された購入履歴から未回収のデポジット総数情報を取得する（ステップＳ３１）。このとき、実施例３と同様、カード４から判明するユニークな個人ＩＤを読み取る必要はない。
【０１１６】
次に、購入者３は、吸殻２を吸殻回収機６０ｙに投入する（ステップＳ１１ｓ）。吸殻回収機６０ｙの吸殻計数機能６２において投入された吸殻の数量を計数し（ステップＳ１２）、デポジット管理サーバ３０ｘに対して、吸殻計数機能６２において投入された吸殻の数量がカード４に記録された購入履歴の未回収のデポジット総数の内数ならば計数結果をそのまま通知し、計数結果が上回る場合は、デポジット対象数とデポジット対象外で吸殻処理手数料の対象となる余数をそれぞれ通知する（ステップＳ３３）。
【０１１７】
そして、デポジット管理サーバ３０ｘでは通知されたデポジット対象数と余数それぞれの計数結果からデポジット管理機能３５により、現在預かっているデポジット金に対して、通知された計数結果がオーバーしていないかを確認し預かっている範囲内での返金額を吸殻回収機６０ｙに通知する（ステップＳ１４）。
【０１１８】
通知を受領した吸殻回収機６０ｙのデポジット設定機能６５は、購入者３に対して計数結果・返金額を表示し（ステップＳ１５）、購入者３の選択する返金方法により現金ハンドリング機能６３または電子マネー加算機能６４を用いてデポジット返金を行い（ステップＳ１６）、その結果をデポジット管理サーバ３０ｘに通知し、電子マネー取引の場合は電子マネー管理サーバ２０にも加算金を通知し、カード４の購入履歴に記録する。
【０１１９】
この吸殻回収機６０ｙでは、デポジット対象外の吸殻を集計し当該数量に応じて吸殻処理手数料として返金できるようにしているので、デポジット対象外の吸殻についても投棄された吸殻を収集している地域ボランティア等の方の清掃活動による収集した吸殻であっても、吸殻処理手数料を受領できる仕組みを構築できる。
【０１２０】
図１５は、実施例４のシステムにおいて、購入者３と吸殻回収者が異なる場合の税も考慮したデポジット金の流れを示す図である。例えば、Ｘさんが購入したたばこの費用内訳は、メーカに支払われる商品代金５ｃのほかに国税他５ｂと地方税５ａ、デポジット金５で構成され、デポジット金５の一部を吸殻処理手数料５ｄに充当している。
【０１２１】
購入者３と異なるＹさんは、ポイ捨てされた吸殻を回収し、吸殻回収機６０ｙに返却したとき、デポジット管理サーバ３０ｘから吸殻回収機６０ｙに吸殻処理手数料５ｄが移管され、吸殻処理手数料がＹさんに返金されることになる。
【０１２２】
（実施例４の効果）
以上のように実施例４のたばこデポジット付き商品販売システムによれば、デポジット管理サーバのデポジット設定機能、自動販売機のデポジット設定機能および吸殻回収機のデポジット設定機能を、購入者ＩＤを管理しない構成とし、さらに吸殻回収機のデポジット設定機能をデポジット対象外の吸殻も吸殻回収手数料として返金できるようにしたので、さらに回収量を増やしゴミ問題を積極的に解決することができる。
【０１２３】
《その他の変形例》
以上の実施例の説明では、たばこの吸殻を例として説明したが、購入商品の一部が廃棄される包装容器、食品、食料などの容器などにも適用可能である。
【０１２４】
また、以上の実施例３および実施例４の説明では、全国一斉に一律のデポジットを設定するように説明したが、所定のエリア、例えば、１つ或いは複数の県内や市内にて一律のデポジットを設定するようにしてもよい。
【０１２５】
また、以上の実施例の説明では、たばこの通常の代金にデポジットを付加して販売するように説明したが、従来の自動販売機や店舗の販売が存在する場合には、従来の自動販売機や店舗にて購入する方が安く購入できることになり、従来の購入方法にて購入されてしまう可能性があるので、デポジットの返金を受領したときには通常の購入による代金より安くなるように販売代金を設定するとなおよい。
【０１２６】
また、以上の実施例の説明では、自動販売機と吸殻回収機を別の装置として説明したが、自動販売機に吸殻回収手段を設けた構成としても勿論よい。
【産業上の利用可能性】
【０１２７】
以上述べたように、本発明は、商品利用後に廃材が発生する商材について、デポジットとして販売価格に上乗せし、商品利用後の廃材を返却すると預かり金を消費者に戻すシステムに広く用いることができる。
【図面の簡単な説明】
【０１２８】
【図１】実施例１のたばこデポジット付き商品販売システムの構成図である。
【図２】実施例１の吸殻回収機の構成図である。
【図３】実施例１のたばこデポジット付き商品販売システムの販売手順を説明する動作フローチャートである。
【図４】実施例１のたばこデポジット付き商品販売システムの自動販売機の動作フローチャートである。
【図５】実施例１のたばこデポジット付き商品販売システムの吸殻回収機の動作フローチャーである。
【図６】実施例２のたばこデポジット付き商品販売システムの構成図である。
【図７】実施例２のたばこデポジット付き商品販売システムの販売手順を説明する動作フローチャートである。
【図８】実施例２のたばこデポジット付き商品販売システムの返金動作を説明する図である。
【図９】実施例２のたばこデポジット付き商品販売システムの返金動作を説明する図である。
【図１０】実施例３のたばこデポジット付き商品販売システムの構成図である。
【図１１】実施例３のたばこデポジット付き商品販売システムの販売手順を説明する動作フローチャートである。
【図１２】実施例３のたばこデポジット付き商品販売システムの返金動作を説明する図である。
【図１３】実施例４のたばこデポジット付き商品販売システムの構成図ある。
【図１４】実施例４のたばこデポジット付き商品販売システムの販売手順を説明する動作フローチャートある。
【図１５】実施例４のたばこデポジット付き商品販売システムの返金動作を説明する図ある。
【図１６】従来のタスポカードによるたばこ自動販売システムの構成図ある。
【符号の説明】
【０１２９】
１  たばこ
２  吸殻
３  購入者
４  カード
５  デポジット
５ｄ  手数料
１０    カード運用サーバ
２０    電子マネー管理サーバ
３０    デポジット管理サーバ
４０    決済サーバ
５０    自動販売機
６０    吸殻回収機
【図１】
2010079605.tif 000003
【図２】
2010079605.tif 000004
【図３】
2010079605.tif 000005
【図４】
2010079605.tif 000006
【図５】
2010079605.tif 000007
【図６】
2010079605.tif 000008
【図７】
2010079605.tif 000009
【図８】
2010079605.tif 000010
【図９】
2010079605.tif 000011
【図１０】
2010079605.tif 000012
【図１１】
2010079605.tif 000013
【図１２】
2010079605.tif 000014
【図１３】
2010079605.tif 000015
【図１４】
2010079605.tif 000016
【図１５】
2010079605.tif 000017
【図１６】
2010079605.tif 000018